(57)【要約】【課題】  コントラストが高く、高輝度でかつ漏れ光が低減され、好ましくは薄型化を実現できる照明装置を提供する。【解決手段】  光源と、該光源の光を側端面から内部に導入し、内部を伝搬する前記光を出射面から出射させる導光板１２とを備え、導光板１２の出射面に、導光板１２内部の伝搬光を反射させて前記出射面側に出射させるためのプリズム形状が形成され、導光板１２の出射面と反対側の面には、保護層１５が積層されたことを特徴とする照明装置を採用する。【選択図】        図３
2005005264.tif 000002
【特許請求の範囲】
【請求項１】
光源と、該光源の光を側端面から内部に導入し、内部を伝搬する前記光を出射面から出射させる導光板とを備え、
前記導光板の出射面に、該導光板内部の伝搬光を反射させて前記出射面側に出射させるためのプリズム形状が形成され、
前記導光板の出射面と反対側の面には、保護層が積層されたことを特徴とする照明装置。
【請求項２】
前記保護層が防反射層であることを特徴とする請求項１に記載の照明装置。
【請求項３】
前記保護層が透明材料層からなることを特徴とする請求項１または請求項２に記載の照明装置。
【請求項４】
前記保護層が誘電体層を含む多層膜からなることを特徴とする請求項１または請求項２に記載の照明装置。
【請求項５】
前記プリズム形状が、前記出射面に形成された複数の突条により構成され、前記突条の前記伝搬光の進行方向側に斜面部が形成されたことを特徴とする請求項１ないし請求項４のいずれかに記載の照明装置。
【請求項６】
前記斜面部に入射する伝搬光の進行方向と、該伝搬光の反射光の進行方向との成す角度が鈍角であることを特徴とする請求項５に記載の照明装置。
【請求項７】
前記斜面部に入射する伝搬光の進行方向と、該伝搬光の反射光の進行方向との成す角度が、９０°以上１５０°以下とされたことを特徴とする請求項６に記載の照明装置。
【請求項８】
前記斜面部の内面が、前記出射面の外面側を向くように形成されたことを特徴とする請求項５ないし請求項７のいずれかに記載の照明装置。
【請求項９】
前記突条が、その頂部に平坦部が形成された断面視略台形状とされたことを特徴とする請求項５ないし請求項７のいずれかに記載の照明装置。
【請求項１０】
前記突条が、断面視くさび状に形成されたことを特徴とする請求項５ないし請求項７のいずれかに記載の照明装置。
【請求項１１】
前記斜面部の傾斜角度が、４０°以上６０°以下とされたことを特徴とする請求項５ないし請求項９のいずれかに記載の照明装置。
【請求項１２】
前記光源が、前記導光板の側端面に沿って配設されたバー導光体と、該バー導光体の端面部に配設された発光素子とを備えたことを特徴とする請求項１ないし請求項１０のいずれかに記載の照明装置。
【請求項１３】
光を内部に導入するための側端面と、該側端面から導入されて内部を伝搬する前記光を出射させる出射面とを有し、前記側端面と出射面とが互いに交差する向きに形成されており、
前記出射面に、当該導光板内部の伝搬光を反射させて前記出射面側に出射させるための突条が複数形成され、前記突条が、その伝搬光進行方向側に斜面部を有し、
前記導光板の出射面と反対側の面には、保護層が積層されたことを特徴とする導光体。
【請求項１４】
請求項１ないし請求項１２のいずれかに記載の照明装置を、液晶パネルの前面又は背面に備えたことを特徴とする液晶表示装置。
【発明の詳細な説明】
【技術分野】
【０００１】
本発明は、照明装置、導光体、及び液晶表示装置に関するものである。
【背景技術】
【０００２】
液晶表示装置等に用いられるフロントライト等の照明装置は、導光板とその側端面に配設された光源とを基本構成としており、導光板側端面から導入した光を、導光板の出射面と反対側の面に形成したプリズム形状により反射させて出射面から出射させることで、液晶パネル等の被照明体を照明するようになっている（例えば特許文献１）。
図１２は、これら従来の照明装置を備えた液晶表示装置の断面構造を示す図である。図１３及び図１４は、図１２に示すフロントライトの導光状態を説明するための説明図である。
【０００３】
図１２に示す液晶表示装置は、液晶パネル１２０とその前面側（図示上面側）に順次配設されたフロントライト１１０及びフロントライトカバー１３０とから構成されており、フロントライト１１０において、符号１１２は導光板、符号１１３はバー導光体、符号１１５はＬＥＤ（発光ダイオード）である。また導光板１１２の上面に、緩斜面部１１４ａと急斜面部１１４ｂとからなる断面三角形状の突条１１４が連続的に形成されている。
また、液晶パネル１２０において、符号１２１は上基板、符号１２２は下基板、符号１２３は液晶層、符号１２４はシール材である。また、液晶パネル１２０には、図示略の反射板が下基板１２２の外面側又は内面側に設けられている。
またフロントライトカバー１３０は、導光板の突条１１４を保護するものであって導光板１１２の上方に配置されており、透明材料、誘電体層などにより構成されている。フロントライトカバー１３０は導光板１１２から僅かに離間して配置されており、これによりフロントライトカバー１３０と導光板１１２との間には空気層１３１が形成されている。
【特許文献１】特開平１１−１０９３４７号公報
【発明の開示】
【発明が解決しようとする課題】
【０００４】
図１２に示すフロントライト１１０では、図１３に示すように、バー導光体１１３から導光板１１２内部に導入された光源光は、導光板１１２内部で全反射を繰り返しながら伝搬し、主に急斜面部１１４ｂに入射した光源光が、導光板１１２の出射面１１２ｂから出射されるようになっている（図１３に示す光Ａ，Ｂ）。しかしながら、光Ａ、Ｂと同様に急斜面部１１４ｂに入射する光でも、図１３に示す光Ｃ，Ｄのように光Ａ、Ｂよりも浅い入射角で斜面部に入射する光が、急斜面部１１４ｂを透過して液晶表示装置上面側へ漏れ出る場合がある。これは、光Ｃ、Ｄの入射角が導光板１１２と空気とにおける臨界角を越えて浅くなったためである。このような光Ｃ，Ｄは、照明光として利用されないためフロントライト１１０の輝度を低下させ、また導光板１１２を透過しての表示に対してはコントラストを低下させる原因となる。
【０００５】
更に、図１４に示すように、導光板１１２の出射面１１２ｂから出射された光源光は、液晶パネル１２０に内蔵された反射板により反射され、導光板１１２、空気層１３１及びフロントライトカバー１３０を透過して観察者側に出射されるようになっている（図１４に示す光Ｅ）。しかしながら、出射光Ｅがフロントライトカバー１３０を透過する際に、フロントライトカバー１３０と空気層１３１との界面において後方散乱光（図１４における光Ｆ）が生じたり、出射光Ｅの一部がフロントライトカバー１３０に吸収される場合がある。このように、フロントライトカバー１３０を透過する際に出射光Ｅが減衰され、フロントライト１１０の輝度が低下する場合もあった。
【０００６】
更に、図１４に示すように、液晶表示装置の外部から外部光が入射する場合もあり、この外部光は、フロントライトカバー１３０及び導光板１１２を透過し、液晶パネル１２０に内蔵された反射板により反射され、導光板１１２及びフロントライトカバー１３０を再び透過して観察者側に出射されるようになっている（図１４に示す光Ｇ）。しかしながら、外部光Ｇがフロントライトカバー１３０に入射した際に後方散乱光（図１４における光Ｈ）が生じる場合があり、この散乱光Ｈによって黒色表示のコントラストが低下する場合があった。
【０００７】
更に、液晶表示装置の製造工程において、導光板１１２とフロントライトカバー１３０との間に異物が混入し、液晶表示装置の外観を損ねる場合があった。
また、フロントライトカバー１３０と導光板１１２とがそれぞれ別個に必要であり、液晶表示装置を構成する部品点数が増加して部品コストが増大するといった問題もあった。
【０００８】
本発明は、上記の事情に鑑みてなされたものであって、コントラストが高く、高輝度でかつ漏れ光が低減され、好ましくは薄型化を実現できる照明装置を提供することを目的としている。
また本発明は、入光面から導入された光を効率よく均一に出射面に伝搬させることができる導光板を提供することを目的としている。
さらに本発明は、上記の照明装置を備え、コントラストが高く、高輝度で表示品質に優れる液晶表示装置を提供することを目的としている。
【課題を解決するための手段】
【０００９】
上記の目的を達成するために、本発明は以下の構成を採用した。
本発明の照明装置は、光源と、該光源の光を側端面から内部に導入し、内部を伝搬する前記光を出射面から出射させる導光板とを備え、前記導光板の出射面に、該導光板内部の伝搬光を反射させて前記出射面側に出射させるためのプリズム形状が形成され、前記導光板の出射面と反対側の面には、保護層が積層されたことを特徴とする。
【００１０】
かかる照明装置によれば、導光板の出射面と反対側の面に保護層が積層されているので、導光板に傷等の付くおそれがない。また、保護層を積層することでフロントライトカバーを省略することができ、部品点数を削減できる。
更に、導光板に保護層が直接積層されているため、導光板と保護層との間に空気層が形成されず、このため従来のような後方散乱光の発生が少なくなり、輝度を高めることができる。
また、保護層は従来のフロントライトカバーに比べて薄く形成されているので、保護層自体による光吸収を少なくすることができ、輝度を高めることができる。
【００１１】
また、出斜面側にプリズム形状を形成することで、導光板内部を伝搬する光が、出射面と反対側の面から漏れ出るのを効果的に防止することができるので、例えば表示装置のフロントライトとして上記構成の照明装置を用いるならば、表示装置正面方向への漏れ光を著しく低減することが可能であり、高コントラストの表示を得ることができる。また、導光板の出射面と反対側の面は平坦面とすることができるので、表示装置のフロントライトに適用した場合には、表示面側に前記平坦面が配置され、前記プリズム形状を保護できるという利点が得られる。
【００１２】
また本発明の照明装置は、先に記載の照明装置であって、前記保護層が防反射層であることを特徴とする。
このような構成とすることで、外部光が導光板に入射する際に生じる後方散乱光が少なくなり、コントラスト比を高めることができる。
【００１３】
また本発明の照明装置は、先に記載の照明装置であって、前記保護層が透明材料層からなることを特徴とする。
このような構成とすることで、保護層自体による光吸収を少なくすることができ、輝度を高めることができる。
【００１４】
また本発明の照明装置は、先に記載の照明装置であって、前記保護層が透明有機材料或いは誘電体層からなる多層膜からなることを特徴とする。
このような構成とすることで、多層膜の各層が、膜厚１０〜１５０ｎｍ（１００〜１５００Å）程度のＳｉＯ２，ＴｉＯ２，ＺｒＯ２等の金属酸化物或いはアートン、ポリカーボネート、ポリウレタン、アクリル、脂環状樹脂からなる多層膜であって、単層から複数層積層した構成をとることができる。
【００１５】
また本発明の照明装置は、先に記載の照明装置であって、前記プリズム形状が、前記出射面に形成された複数の突条により構成され、前記突条の前記伝搬光の進行方向側に斜面部が形成されたことを特徴とする。
このような構成とすることで、前記伝搬光を出射面から出射させる導光板を容易に構成することができる。前記突条は、前記斜面部を有していればその形状に特に限定はない。
【００１６】
また本発明の照明装置においては、前記斜面部に入射する伝搬光の進行方向と、該伝搬光の反射光の進行方向との成す角度が鈍角である構成とすることが好ましい。
このような構成とすることで、突条の斜面部に入射する光が前記斜面部を透過して漏れ出る光となるのを効果的に防止することができ、前記斜面部で反射されて被照明体を照明する光量を増加させることができ、高輝度の照明装置を提供することができる。
【００１７】
また本発明の照明装置においては、前記斜面部に入射する伝搬光の進行方向と、該伝搬光の反射光の進行方向との成す角度が、９０°以上１５０°以下とされた構成とすることが好ましい。
このような構成とすることで、前記斜面部を透過して漏洩する光量をより効果的に低減することができ、高輝度の照明装置を提供することができる。
【００１８】
また本発明の照明装置においては、前記斜面部の内面が、前記出射面の外面側を向くように形成された構成とすることが好ましい。
このような構成とすることで、前記斜面部により前記伝搬光を効率よく導光板の出射面側へ出射させることができる照明装置が得られる。
【００１９】
前記伝搬光は、光源から導光板に導入された後、導光板の上下面で全反射を繰り返しながら進行するためある程度散乱された光となっており、伝搬光の水平面に対する角度分布は、導光板内部における伝搬距離に応じて変化し、例えば１ｍｍ厚のアクリル樹脂製の導光板では、光源の近傍では±４０°前後の角度分布となり、光源から５０ｍｍ程度離れた位置では、±２０°前後の角度分布となる。
従って、この伝搬光の角度分布に応じて斜面部の傾斜角度を設定することで、より均一な照明光を得ることができる。
【００２０】
また本発明の照明装置は、前記突条の頂部に平坦部が形成された断面視略台形状とされた構成とすることもできる。
このような構成とすることで、突条の頂部が平坦部とされていることで、前記両斜面部以外の出射面に入射した伝搬光が外側へ漏れ出にくくなるので、前記斜面部により反射されて意図した方向へ進行する光の割合を増加させることができ、実質的に照明装置の輝度を高めることができる。
また本発明に係る照明装置は、前記突条が、断面視くさび状に形成された構成としてもよい。
【００２１】
本発明に係る照明装置において、前記斜面部の傾斜角度が、４０°以上６０°以下とされた構成とすることが好ましい。
上記傾斜角度は、前記導光板の水平基準面と前記斜面部との成す角度である。
このような構成とすることで、前記斜面部に入射する光を効率よく反射させることができ、高輝度の照明装置とすることができるとともに、前記斜面部における漏れ光を低減でき、フロントライトに用いた場合に、高コントラストの表示を得やすくなる。
【００２２】
本発明に係る照明装置は、前記光源が、前記導光板の側端面に沿って配設されたバー導光体と、該バー導光体の端面部に配設された発光素子とを備えた構成とすることができる。
このような構成とすることで、前記バー導光体によりその延在方向に均一に光が伝搬されるので、導光板側端面に入射する光が前記側端面内で均一に分布された状態となり、その結果導光板の出射面内での光量分布を均一化することができる。
【００２３】
次に本発明の導光体は、光を内部に導入するための側端面と、該側端面から導入されて内部を伝搬する前記光を出射させる出射面とを有し、前記側端面と出射面とが互いに交差する向きに形成されており、前記出射面に、当該導光板内部の伝搬光を反射させて前記出射面側に出射させるための突条が複数形成され、前記突条が、その伝搬光進行方向側に斜面部を有し、前記導光板の出射面と反対側の面には、保護層が積層されたことを特徴とする。
係る導光体によれば、側端面から導入した光を効率よく出射面から出射させることができ、点光源を用いて面発光させるための素子として好適な導光体を提供することができる。上記導光体は、光源の配設面と、出射面とが交差する向きに配置されていれば、平板状、棒状等の種々の形状に適用することができる。
【００２４】
また、導光板の出射面と反対側の面に保護層が積層されているので、導光板に傷等が付くおそれがない。また、保護層を積層することでフロントライトカバーを省略することができ、部品点数を削減できる。
更に、導光板に保護層が直接積層されているため、導光板と保護層との間に空気層が形成されず、このため従来のような後方散乱光の発生が少なくなり、輝度を高めることができる。
また、保護層は従来のフロントライトカバーに比べて薄く形成されているので、保護層自体による光吸収を少なくすることができ、輝度を高めることができる。
【００２５】
次に本発明の液晶表示装置は、先のいずれかに記載の照明装置を、液晶パネルの前面又は背面に備えたことを特徴とする。
このような構成とすることで、高輝度の表示が得られる液晶表示装置を提供することができ、特に、前記照明装置を液晶パネル前面に配設するならば、従来に比して高コントラストの表示が得られる液晶表示装置を提供することができる。
【発明の効果】
【００２６】
本発明の照明装置によれば、導光板の出射面と反対側の面に保護層が積層されているので、導光板に傷等の付くおそれがない。
また、保護層を積層することでフロントライトカバーを省略することができ、部品点数を削減できる。
更に、導光板に保護層が直接積層されているため、導光板と保護層との間に空気層が形成されず、このため従来のような後方散乱光の発生が少なくなり、輝度を高めることができる。
また、保護層は従来のフロントライトカバーに比べて薄く形成されているので、保護層自体による光吸収を少なくすることができ、輝度を高めることができる。
【００２７】
また、出斜面側にプリズム形状を形成することで、導光板内部を伝搬する光が、出射面と反対側の面から漏れ出るのを効果的に防止することができるので、例えば表示装置のフロントライトとして上記構成の照明装置を用いるならば、表示装置正面方向への漏れ光を著しく低減することが可能であり、高コントラストの表示を得ることができる。また、導光板の出射面と反対側の面は平坦面とすることができるので、表示装置のフロントライトに適用した場合には、表示面側に前記平坦面が配置され、前記プリズム形状を保護できるという利点が得られる。
【発明を実施するための最良の形態】
【００２８】
以下、本発明の実施の形態を図面を参照して説明する。
図１は、本発明の一実施の形態であるフロントライトを備えた液晶表示装置の斜視構成図であり、図２は、図１に示す液晶表示装置の断面構成図である。また、図３は、図２に示すフロントライトの導光状態を説明するための部分断面構成図である。本実施形態の液晶表示装置は、図１及び図２に示すように、フロントライト（照明装置）１０と、その背面側（図示下面側）に配設された液晶パネル２０とを備えて構成されている。
【００２９】
フロントライト１０は、図１に示すように、略平板状の透明の導光板１２と、その側端面１２ａに沿って配設されたバー導光体１３と、このバー導光体１３の長さ方向の少なくとも一方の端面に配設された発光素子４５と、を備えて構成されている。すなわち、本実施形態に係るフロントライト１０では、発光素子４５とバー導光体１３とが光源とされ、導光板１２の側端面１２ａが導光板の入光面とされている。
また、図２に示すように、導光板１２の液晶パネル側面（図示下面）１２ｂは、導光板１２の側端面１２ａと略平行に延在する複数の突条１４が配列形成された、断面略鋸刃状とされている。
更に、図２に示すように、導光板１２の液晶パネル側面と反対側の面（図示上面）１２ｃには、保護層１５が積層されている。
【００３０】
液晶パネル２０は、対向して配置された上基板２１と下基板２２とを備えて構成された反射型の液晶表示装置であり、図１に点線で示す矩形状の領域２０Ｄが液晶パネル２０の表示領域とされており、表示領域２０Ｄ内に図示略の画素がマトリクス状に形成されている。
上記構成の液晶表示装置は、液晶パネル２０の表示領域２０Ｄ上に導光板１２が配置され、この導光板１２を透過して液晶パネル２０の表示を視認できるようになっている。また、外光が得られない暗所では、発光素子４５を点灯させ、この発光素子４５から出射された光をバー導光体１３を介して導光板１２の入光面１２ａから導光板内部へ導入し、導光板内部を伝搬する光（伝搬光）を導光板１２の図示下面（出射面）１２ｂ側から液晶パネル２０へ向けて出射させ、液晶パネル２０を照明するようになっている。
【００３１】
フロントライト１０の導光板１２は、図２及び図３に示すように、液晶パネル２０の表示領域上に配置されて発光素子４５から出射された光を出射面１２ｂ側から液晶パネル２０に出射する平板状の部材であり、透明なアクリル樹脂などから構成されている。図２の部分断面図に示すように、導光板１２の出射面１２ｂには、複数の突条１４が互いに平行に平面視ストライプ状に形成されてプリズム形状を成しており、出射面１２ｂと反対側面（対向面）１２ｃは、平坦面に形成されている。
【００３２】
図３に示すように、出射面１２ｂに形成された突条１４は、出射面１２ｂの水平基準面ｚに対して傾斜して形成された一対の斜面部により構成された縦断面くさび状のもので、これらの斜面部の一方が緩斜面部１４ａとされ、他方がこの緩斜面部１４ａよりも急な傾斜角度に形成された急斜面部（斜面部）１４ｂとされている。また、前記緩斜面部１４ａは、出射面１２ｂの水平基準面ｚに対して傾斜角θ１を有して形成され、急斜面部１４ｂは傾斜角θ２を有して形成されており、両者の傾斜方向は水平基準面ｚの法線に対して同一方向とされている。すなわち、急斜面部１４ｂの外面が導光板１２の対向面１２ｃ側を向き、内面は出射面１２ｂの外側を向くように形成されている。
そして、導光板１２内部を図３では左側（バー導光体１３側）から右側へ伝搬する光を、出射面１２ｂの急斜面部１４ｂにより出射面１２ｂ側へ反射して導光板１２の背面側に配置された液晶パネル２０に向けて出射させるようになっている。
【００３３】
また、図２に示すように、導光板１２の対向面１２ｃに積層された保護層１５は、対向面１２ｃの全面に積層されている。この保護層１５は、導光板１２よりも硬い材質から構成されており、一般的には少なくとも可視光域内で吸収を持たない高分子材料或いは誘電体層が選択される。具体的には、アートン、アクリル樹脂、ポリエステル樹脂、ポリカーボネート樹脂、ポリウレタン樹脂、脂環式樹脂等の透明樹脂、或いはＳｉＯ２，ＴｉＯ２，ＺｒＯ２等の酸化物膜、及びその複合体により形成されている。
また、この保護層１５は防反射層を兼ねていて、外部から導光板１２に入射する外部光の後方散乱を抑制して、液晶表示装置のコントラスト比を高めている。
保護層１５の厚みは、０．０５μｍ以上１００μｍ以下の範囲が好ましく、０．１μｍ以上１０μｍ以下の範囲がより好ましい。保護層１５の厚みが０．０５μｍより薄いと、導光板１２に傷が発生し易くなるので好ましくなく、厚みが１００μｍを越えると、保護層１５による光吸収量が増大し、液晶表示装置の輝度が低下してしまうので好ましくない。
【００３４】
次に、図３及び図４を参照して前記急斜面部１４ｂによる伝搬光の反射作用について説明する。図４は、図３に示す急斜面部１４ｂを拡大して示す部分断面構成図である。本実施形態に係るフロントライト１０では、図４に示すように、導光板１２内部から急斜面部１４ｂに入射する伝搬光Ｌｉｎと、急斜面部１４ｂによる前記伝搬光Ｌｉｎの反射光Ｌｏｕｔとの成す角度θ４が、鈍角となるように、傾斜角θ２を有して前記急斜面部１４ｂが形成されている。すなわち、この急斜面部１４ｂ（突条１４）が形成された位置において伝搬光Ｌｉｎが急斜面部１４ｂに対して４５°を越える入射角で入射するようにしている。これにより、急斜面部１４ｂに入射した伝搬光Ｌｉｎが透過されるのを最大限防止することが可能になり、その結果急斜面部１４ｂで反射される光量が増加し、フロントライト１０の輝度が向上する。
尚、本発明者は上記急斜面部１４ｂの傾斜角の最適化によりフロントライト１０の照明光量を増加させ得ることを検証しており、後述の実施例に詳述している。
【００３５】
フロントライト１０では、図３に示す緩斜面部１４ａの傾斜角θ１は、水平基準面ｚに対して０．５°以上５°以下の範囲とされ、急斜面部１４ｂの傾斜角θ２は４０°以上６０°以下の範囲とされることが好ましい。このような範囲とするならば、導光板１２面内を伝搬する光を効率よく液晶パネル２０へ出射させることができ、明るい表示が可能な液晶表示装置を構成することができる。緩斜面部１４ａの傾斜角θ１の範囲が、０．５°未満では、フロントライトの平均輝度が低下し、５°を越える場合には、導光板面内での出射光量を均一化することができなくなる。また、急斜面部１４ｂの傾斜角度θ２が、４０°未満の場合、及び４５°を越える場合には、急斜面部１４ｂを透過して漏れ出る光量が多くなり出射面１２ｂからの出射光量（すなわちフロントライト１０の輝度）が低下するため好ましくない。
【００３６】
また、本実施形態のフロントライト１０では突条１４のピッチＰ（プリズム溝１４の頂点部の間隔、あるいは底頂部の間隔）は、導光板の出射面１２ｂ面内で一定とされている。さらに、本実施形態のフロントライト１０の場合は突条１４の高さｈ（水平基準面ｚと、突条１４の底頂部との距離）も出射面１２ｂの面内で一定とされている。
尚、突条１４のピッチＰ及び高さｈは、必ずしも出射面１２ｂの面内で一定とする必要はなく、これらを変化させて突条１４を形成しても本発明の技術範囲を超えるものではない。また、それぞれの突条１４の傾斜角度θ１及びθ２を変化させて突条１４を形成しても本発明の技術範囲を超えるものではない。
【００３７】
次に、図５に示すように、導光板１２から出射された出射光（図５における光Ｉ）は、図示略の液晶表示パネルに内蔵された反射板により反射され、反射光（図５における光Ｊ）となって導光板１２に再度入射する。導光板１２に入射した反射光Ｊは、保護層１５を透過して観察者側に出射される。保護層１５が導光板１２に密着しているため、保護層１５と導光板１２との界面における反射光Ｊの後方散乱光が少なくなって、反射光Ｊの減衰が抑えられる。また保護層１５の厚みが従来のフロントライトカバーに比べて薄いので、保護層による反射光Ｊの光吸収が少なくなって、反射光Ｊの減衰が抑えられる。
【００３８】
更に、図５に示すように、本実施形態の液晶表示装置においては、液晶表示装置の外部から入射する外部光（図５における光Ｋ）を液晶表示パネルの反射板により反射させることで、この外部光Ｋを照明光として利用する場合もある。本実施形態における保護層１５は防反射層を兼ねているので、外部光Ｋが保護層１５に入射した際には、保護層１５と外部の空気との界面における外部光Ｋの後方散乱光が少なくなって、外部光Ｋの減衰が抑えられる。
【００３９】
このように、保護層１５を導光板１２に積層させることで、反射光Ｊ、外部光Ｋの後方散乱光を少なくすることができ、液晶表示装置の輝度を向上できる。また保護層１５による光吸収が少ないことによっても、液晶表示装置の輝度を向上できる。
更に、導光板１２の観察者側の面に保護層１５が積層されているので、導光板１２に傷等が付くおそれがない。また、保護層１５を積層することで従来のフロントライトカバーを省略することができ、部品点数を削減できる。
【００４０】
次に、バー導光体１３は、透明なアクリル樹脂等の材料からなる棒状の部材で、導光板１２の側端面１２ａに沿って配置される。このバー導光体１３の背面（導光板１２と反対側面）には、図示略のプリズム形状が加工されており、端面から導入されてバー導光体１３の長さ方向に伝搬する光を導光板１２の側端面１２ａに均一に照射できるようになっている。
【００４１】
液晶パネル２０は、対向して配置された上基板２１と下基板２２との間に液晶層２３が挟持され、この液晶層２３が基板２１，２２の内面側周縁部に沿って平面額縁状に設けられたシール材２４により封止された構成とされている。上基板２１の内面側（下基板２２側）には、液晶制御層２６が形成されており、下基板２２の内面側（上基板２１側）には、フロントライト１０の照明光や外光を反射させるための金属薄膜を有する反射層２７が形成され、この反射層２７上に液晶制御層２８が形成されている。
【００４２】
液晶制御層２６，２８は、液晶層２３を駆動制御するための電極や、配向膜等を含んで構成されており、上記電極をスイッチングするための半導体素子等も含むものである。また、場合によってはカラー表示のためのカラーフィルタを備えていてもよい。
反射層２７は、液晶表示パネル２０に入射した外光やフロントライト１０の照明光を反射させるためのアルミニウムや銀などの高反射率の金属薄膜からなる反射膜を備えるものであり、特定の方向で反射光が強くなり液晶表示装置の視認性が低下するのを防止するための光散乱手段を備えることが好ましい。この光散乱手段としては、反射膜に凹凸形状を付与したものや、樹脂膜中に樹脂膜を構成する材料と異なる屈折率の樹脂ビーズを分散させた散乱膜等を用いることができる。
【００４３】
上記構成を備えた本実施形態の液晶表示装置では、液晶パネル２０の前面に配設されたフロントライト１０の導光板１２の出射面１２ｂにプリズム形状が形成されており、出射面１２ｂの突条１４の急斜面部１４ｂが、導光板１２内部から入射する伝搬光に対して、鈍角の反射光を生じさせるように形成されていることで、急斜面部１４ｂに入射する伝搬光の反射率を向上させることができ、もって照明光の輝度を高めることができる。また、上記のように急斜面部１４ｂの反射率が向上することで、液晶表示装置正面方向（フロントライト１０上方）への漏れ光量が低減される。さらに、前記プリズム形状が液晶パネル２０と対向する面に形成されているので、突条１４が破損するおそれが無く、従来のフロントライトに比して耐久性に優れるものとされている。
従って、本発明の液晶表示装置によれば、フロントライト１０を点灯させた反射表示において、高輝度、高コントラストの高品質の表示が得られる。
また、観察側の最上面がフラットな面となっているため、入力装置を配置する際に光の透過性が良くなったり、安定な設置が可能になるというメリットもある。
【００４４】
また本実施形態では、保護層１５として単一膜からなるものを例示したが、本発明に係る保護層は単一膜のものに限らず、金属酸化物等の誘電体層からなる多層膜であっても良い。この場合の多層膜としては、透明材料を２層〜１０層程度に積層したものが好ましい。また多層膜を構成する透明材料の種類については、全ての層を同じ透明材料で構成しても良く、透明材料の材質を層毎に代えても良い。ここで用いる透明材料の材質としては、アートン、アクリル樹脂、ポリエステル樹脂、ポリカーボネート樹脂、ポリウレタン樹脂、脂環式樹脂等の透明樹脂、或いはＳｉＯ２，ＴｉＯ２，ＺｒＯ２等の酸化物膜等を例示できる。このような構成とすることで、単一材料よりも防反射層としての効果が発揮されやすくなり、後方散乱を減少させ、コントラスト向上と表面の傷耐性の向上に大きな効果を発揮することができる。
【００４５】
（照明装置の他の形態）
上記実施の形態では、導光板出射面１２ｂのプリズム形状として、突条１４を断面くさび状とし、出射面１２ｂを断面視鋸刃状とした形状を備えたフロントライトについて説明したが、この出射面１２ｂのプリズム形状は、先の形状に限定されず、前記急斜面部を利用して効率よく照明光を出射できる構造を有していればよい。図６は、本発明に係る照明装置の他の実施形態である、断面略台形状の突条が複数配列形成された断面略矩形波状の出射面１２ｂを有する導光板を備えたフロントライトの部分断面構造を示す図である。
【００４６】
図６に示すフロントライト３０は、図１及び図２に示すフロントライト１０の導光板１２に代えて、図６に示す部分断面構造を有する導光板３２を備えたものであり、その全体の外観は、図１に示すフロントライト１０とほぼ同様である。
導光板３２はその下面側が出射面３２ｂとされ、出射面３２ｂと反対側が対向面３２ｃとされており、出射面３２ｂには紙面垂直方向に延在する複数の突条３４が配列形成されており、対向面３２ｃは平坦面とされている。また出射面と反対側の対向面３２ｃには上記実施形態の保護層１５と同一構成の保護層３５が積層されている。
【００４７】
上記突条３４は、平坦部３４ａを天井部とし、その幅方向両側に第１斜面部（斜面部）３４ｂと第２斜面部３４ｃとが形成された断面略台形状であり、前記第１斜面部３４ｂは、水平基準面ｚに対して傾斜角θ２を有して傾斜しており、第２斜面部３４ｃは傾斜角θ３を有して傾斜して形成されている。また、第１斜面部３４ｂと第２斜面部３４ｃとは、導光板３４の法線に対して同一側に傾斜している。
隣接する突条３４，３４間は、平坦面に形成された底面部３４ｄとされており、本実施形態のフロントライトでは、前記第１、第２斜面部３４ｂ、３４ｃ以外の出射面３２ｂの平面領域は、突条３４の平坦部３４ａとともに水平基準面ｚと平行な平坦面となるように形成されている。
【００４８】
上記第１斜面部３４ｂの傾斜角θ２は、図３に示す急斜面部１４ｂの傾斜角θ２と同様に、第１斜面部３４ｂに入射する伝搬光に対して鈍角（θ４）を成す方向の反射光を生じさせる構成とされ、突条３４のピッチＰや高さｈも、図３に示す突条１４と同様に出射面３２ｂ面内で一定とされている。
上記第２斜面部３４ｃの傾斜角θ３は、４０°以上６０°以下の範囲とすることが好ましい。上記範囲とすることで、第１斜面部３４ｂから漏れ出る光が少なくなり、フロントライトの輝度を高めることができる。
【００４９】
上記構成を備えた本実施形態のフロントライト３０によっても、第１斜面部３４ｂに入射する光を効率よく反射させて照明光とすることができるので、高輝度の照明光が得られる。また、前記第１斜面部３４ｂを透過して対向面３２ｃ側へ出射される光量が低減されるので、表示装置の前面に配設した場合にコントラストを低下させることがなく、高品位の表示を得ることができる。
また、斜面部３４ｂ、３４ｃ以外の出射面３２ｂの平面領域が平坦面とされていることで、導光板３２内部を伝搬する光が斜面部以外の面から漏れ出にくい構造となっており、光源の利用効率を高めて照明光の輝度を向上させることができる。
【００５０】
尚、上記実施の形態では、本発明に係る照明装置をフロントライトとして用いた場合について説明したが、液晶パネルの背面に配設して用いるバックライトとしても本発明の照明装置は好適に用いることができ、その場合には、前記プリズム形状が形成された導光板面を液晶パネルの背面と対向させて配置すれば良く、この構成によっても、従来のバックライトに比して高輝度の照明光が得られ、明るい表示の液晶表示装置を提供することができる。
【００５１】
（フロントライトの別の形態）
次に本発明に係るフロントライトの別の形態について図面を参照して説明する。図７にはフロントライトの断面構成図を示し、図８には、図７に示すフロントライトを備えた液晶表示装置の使用例の断面構成図を示す。
このフロントライト２１０は、図７に示すように、略平板状の透明の導光板２１２と、その側端面２１２ａに沿って配設されたバー導光体２１３と、バー導光体２１３の長さ方向の少なくとも一方の端面に配設された図示略の発光素子と、を備えて概略構成されている。また導光板２１２の上面１２ｃには、先に説明した図２および図３と同様に保護層が設けられている。なお図７においては保護層の図示を省略している。
【００５２】
また、図７に示すフロントライト２１０には、バー導光体２１３とこのバー導光体２１３に隣接する導光板２１２の一部とを覆うカバー部材２１４が備えられている。バー導光体２１３に隣接する導光板２１２の一部は、その板厚が導光板２１２本体の板厚よりも小さく設定された薄板部２１２ｄとされている。すなわち、薄板部２１２ｄの厚み方向両側には、導光板２１２の出射面１２ｂおよび反対側面１２ｃに対する段部２１２ｅ，２１２ｅがそれぞれ設けられており、この段部２１２ｅによる段差分だけ薄板部２１２ｄの厚みが薄くされている。
更に、この薄板部２１２ｄには前述の側端面２１２ａが含まれており、この側端面２１２ａには薄板部２１２ｄと同じか若しくは薄い厚みのバー導光体２１３が取り付けられている。
【００５３】
次に図７に示すように、カバー部材２１４は、例えばアルミニウム板が断面視略略コ字状に成形されて構成されている。カバー部材２１４の内側には凹部２１４ａが形成されている。この凹部２１４ａには、例えば光反射性に優れた銀の薄膜が形成されている。そして、この凹部２１４ａに、バー導光体２１３および導光板２１２の薄板部２１２ｄがはめ合わされている。
また、カバー部材の凹部２１４ａを区画する一対の板片部２１４ｂ，２１４ｂの厚みが、先の導光板２１２の段部２１２ｅの段差とほぼ同じ大きさとされている。これにより、カバー部材２１４がバー導光体２１３および導光板２１２にはめ合わされた際に、カバー部材２１４の上面２１４ｃおよび下面２１４ｄがそれぞれ、導光板２１２の反対側面１２ｃおよび出射面１２ｂとの間で同一面が形成されるように構成されている。すなわち、カバー部材２１４が導光板２１２と同一面を形成している。なお、カバー部材２１４の厚みは導光板の厚みよりも僅かに薄くしても良い。
【００５４】
具体的な寸法関係について説明すると、導光板２１２の厚みが０．８ｍｍないし１．０ｍｍの範囲に設定され、薄板部の厚みが０．４ｍｍないし０．８ｍｍの範囲に設定され、段部２１２ｅの段差が０．１ｍｍないし０．３ｍｍの範囲に設定され、カバー部材２１４の板片部２１４ｂの厚みが０．１ｍｍないし０．３ｍｍの範囲に設定されている。そして、段部２１２ｅの段差と板片部２１４ｂの厚みとが同じ大きさか、あるいは段部２１２ｅの段差よりも板片部２１４ｂの厚みが薄く設定されている。
【００５５】
カバー部材２１４がバー導光体２１３全体に装着されることにより、バー導光体２１３からの光が漏れることがなく、光源からの光のほぼ全部を導光板２１２に照射させることができる。
また、カバー部材２１４がバー導光体２１３および導光板２１２に装着された場合でも、導光板２１２の上面である反対側面１２ｃとカバー部材２１４の上面２１４ｃとが同一面を形成するので、導光板２１２の厚み方向にカバー部材２１４が張り出されることがない。これにより、図８に示すように、本実施形態のフロントライト２１０を液晶パネル２０とともに携帯電話等の機器に搭載させた場合に、フロントライト２１０を保護するための機器側の透明カバー３００と、フロントライト２１０のカバー部材２１４とが相互に干渉するおそれがない。このため、フロントライト２１０と透明カバー３００との間に隙間が生じることがなく、機器の薄型化を図ることができる。
【００５６】
（フロントライトのその他の形態）
図９には、フロントライトのその他の形態の一例を示す。この図９に示すフロントライト３１０は、図７の場合と同様に導光板２１２とバー導光体２１３とカバー部材２１４とから概略構成されている。そして、導光板２１２の出射面１２ｂ側に防反射層３１７が積層されている。
【００５７】
この防反射層３１７は、サブミクロンオーダーの微細な凹部又は凸部を格子状に配列形成されてなるものである。この防反射層３１７について、図１０及び図１１参照して以下に説明する。図１０は、反射防止層３１７の表面形状を模式的に示す部分斜視図である。図１１は、防反射層３１７を構成する微細な凸部（凹部）の配列の例を示す模式平面図であり、図１１Ａは前記凸部を正方格子状に配列させた例であり、図１１Ｂは、千鳥格子状に配列させた例である。
【００５８】
図１０に示すように、防反射層３１７の表面には、直径０．１５〜０．４μｍ程度の多数の微細な凸部３０７が千鳥格子状に配列されて形成されており、幅広い波長域の光を高い透過率で透過させることができるようになっている。このような微細な凹凸形状を設けることにより光の反射を防止できるのは、独Faunhofer Gesellshaft社の記述情報に開示されているように、それぞれの凸部が可視領域の波長以下の高さ及び繰り返しピッチで配列形成されているために、入射した光の反射が生じないことによる。
そして、この防反射層３１７が蒸着されていることで、導光板２１２内部を伝搬する光が出射面１２ｂに入射した際に反射光がほとんど生じず、効率よく液晶パネル２０を照明できるようになっている。また、出射面１２ｂの内面側での反射がほとんど生じないことで、出射面１２ｂで反射された光が使用者に到達することにより生じる白化現象を抑え、コントラストを向上させて表示品質を向上させることができる。
また、反射型の液晶パネル２０により反射された光が、導光板２１２の出射面１２ｂに入射する際にも、この防反射層３１７が有効に作用し、高い透過率で液晶パネル２０の反射光を透過させ、結果として高輝度の表示が得られるようになっている。これは、液晶パネル２０の反射光が、導光板２１２の出射面１２ｂで反射されると表示光の一部が損失されて輝度が低下することとなり、また出射面１２ｂでの反射により導光板２１２の白化がおこるために表示のコントラストが低下することとなるが、本発明に係る導光板２１２では、防反射層３１７が設けられていることで、上記の現象を防止することができるためである。
【００５９】
本発明において、凸部３０７のピッチは０．３μｍ以下とすることが好ましく、また凸部３０７の高さは０．２μｍ以上とすることが好ましい。これは、ピッチが０．３μｍを越えると、導光板２１２に光を入射させた際に色づきが発生するからである。また、凸部３０７の高さが０．２μｍ未満であると、防反射効果が不十分であり、反射率が高くなるからである。
上記凸部３０７のピッチは、小さくするほど防反射層３１７の透過率を高めることができるが、０．２μｍ以下の極微細な凸部３０７を、均一な寸法で配列形成するのは困難であり、製造コストの増加の原因となるため、実用的には凸部３０７のピッチの下限値は、０．２μｍ程度である。
【００６０】
次に、防反射層３１７を構成する凸部３０７の配列について図１１を参照して以下に説明する。本実施形態に係る防反射層３１７においては、凸部３０７は、図１１Ａに示す正方格子状、図１１Ｂに示す千鳥格子状のいずれに配列されていてもよいが、図１１Ｂに示す千鳥格子状とすることが好ましく、その実効ピッチが最小となる方向と、導光板２１２の面内における主導光方向とが平行となるようにして防反射層３１７を形成するのがよい。
導光板２１２面内の主導光方向は、図１１Ａ，Ｂに示すように、本実施形態のフロントライト３１０のように導光板２１２の側端面１２ａに棒状のバー導光体２１３が配設されている場合には、バー導光体２１３の光出射面から導光板２１２側端面に向かう方向（導光板側端面１２ａからこの側端面１２ａの対向面に向かう方向）とされる。
また、図１１Ａにおいて、凸部３０７の実効ピッチＰｅは、図示上下方向において、隣接する凸部３０７のピッチＰと等しく、図１１Ｂの上下方向では、図示斜め方向に隣接する凸部３０７，３０７の中心間の図示上下方向の距離が実効ピッチＰｅとされ、実際のピッチＰの１／２に等しくなる。
このように、図１１Ａに示す正方格子状の配列よりも図１１Ｂの千鳥格子状の配列の方が、凸部３０７の実効ピッチＰｅを小さくすることができ、この実効ピッチＰｅが最小となる方向と、導光板２１２の主導光方向を平行にすることで、防反射層３１７における光の反射をより生じ難くすることができ、防反射層３１７において透過／反射した光が色づいて液晶表示装置の色再現性が低下するのを防止することができる。
従って、図１１に示す正方格子状に凸部３０７を配列させた場合でも、導光板２１２の主導光方向が図示上下方向の時、凸部３０７の配列方向を図示斜め４５°方向とすることで実効ピッチＰｅを小さくすることができる。逆に、図１１Ｂに示す千鳥格子状の配列としても、主導光方向が図示上下方向の場合に、図に示す配置ではなく、例えば凸部１０７の配列方向が図示左右方向となるように（隣接する凸部３０７の中心同士を結ぶ直線の向きが図示左右方向となるように）配置した場合には、図示上下方向での実効ピッチＰｅが凸部３０７のピッチＰと等しくなるため、実効ピッチＰｅが最小となるように配置した場合よりも防反射効果が低下することとなる。
【００６１】
本実施形態に係る導光板２１２においては、導光板２１２の主導光方向における上記凸部３０７の実効ピッチは、０．１５μｍ以下とすることが好ましい。このような範囲とすることで、防反射層３１７の防反射効果を高めることができ、液晶表示装置の表示品質を向上させることができる。実効ピッチが０．１５μｍを越えると、防反射層３１７の防反射特性を向上させる効果が小さくなる。
【００６２】
尚、本発明に係る導光板２１２において、反射防止層３１７は、出射面１２ｂのみに蒸着されるものではなく、バー導光体２１３が配置される側端面１２ａにも反射防止層を形成しても良い。このような構成とすることで、バー導光体２１３から導光板２１２に光が導入される際の導光板２１２の側端面１２ａでの反射も抑えることができるので、光源の利用効率を更に高めて、フロントライト３１０の輝度を向上させることができる。
【実施例】
【００６３】
以下、実施例により本発明の効果をより明らかなものとするが、以下の実施例は本発明の技術範囲を限定するものではない。
（実施例１）
本例では、図１から図３に示す新規形状の導光板と、図１２に示す従来形状の導光板について、伝搬光を出射させるための斜面部の傾斜角を、伝搬光の入射角に対して最適化した場合の出射光量と漏れ光量の比較を行った。
表１は、本例で比較した導光板の各部のパラメータをまとめて示す表であり、この表において新規形状は図３に示す導光板、従来形状は図１２に示す導光板を示している。また、新規形状におけるθ１，θ２は、図３に示す傾斜角をそれぞれ示し、従来形状におけるθ１，θ２は、図１２に示す傾斜角をそれぞれ示している。また、導光板の大きさは、７０ｍｍＷ×５０ｍｍＬ×１．０ｍｍｔで共通とし、材質はいずれもアクリル樹脂とした（屈折率を１．４８とした）。
次いで、上記条件で、各形状の導光板の入光面から１Lumenの光束を入射させた際に、ＬＣＤ側（液晶パネル側）に出射される光束と、観察者側に出射される光束とを計算した結果を表１に併記する。表１から明らかなように、本発明の構成を有する新規形状の導光板では、ＬＣＤ側へ出射される光束が従来形状に比して大幅に増加しており、更に、観察者側に漏れ出る光束が著しく低減されることが確認された。特に、急斜面部１４ｂの傾斜角θ２を４５°〜５０°の範囲とすれば、照明輝度が高く、漏れ光量が少ない導光板が得られることが確認された。
【００６４】
【表１】
2005005264.tif 000003
【００６５】
（実施例２）
次に、図３に示す本発明に係る導光板１２の出射面１２ｂに形成された突条１４と、図１２に示す従来の導光板１１２の上面に形成された突条１４とにおける、導光板内部から入射する伝搬光に対する反射特性を比較した。比較結果を以下の表２〜表５に示す。表２及び表３は、本発明に係る導光板である新規形状のものの反射特性であり、表４及び表５が従来形状のものの反射特性である。また、表２及び表４は、導光板の構成材料をアートン（商品名：ＪＳＲ社製）とした場合の結果であり、表３及び表５は導光板の構成材料をアクリル樹脂とした場合の結果である。
【００６６】
これらの表において、入光角は、例えば表２，３では図４に示す図では角度θ６に相当し、急斜面部１４ｂに導光板１２内部側から入射する光の水平基準面ｚに対する角度を示している。また、入光角の正負は導光板内部から急斜面部１４ｂに向かって進行する光の入光角を正としており、新規形状と従来形状とで入光角の正負が同一であっても、新規形状では導光板の上面から下面に向かう光の角度、従来形状では導光板の下面から上面に向かう光の角度を示している。本実施例では、上記入光角を０°〜８°の範囲で変化させた。
【００６７】
傾斜角は、表２，３では急斜面部１４ｂの傾斜角θ２を示し、表４，５では図１２に示す急斜面部１１４ｂの傾斜角θ２を示しており、本例では上記各入光角で入射する光を導光板鉛直方向（水平基準面ｚ法線方向）に反射させる傾斜角である。
【００６８】
余裕角は、上記入光角に対して、導光板鉛直方向の反射光を生じさせるように急斜面部の傾斜角θ２を設定した場合に、急斜面部に入射する伝搬光の入射角と、導光板の臨界角との差を示しており、余裕角が負であると、入射角が臨界角よりも浅くなり、急斜面部を透過して漏れ光となる。
【００６９】
【表２】
2005005264.tif 000004
【００７０】
【表３】
2005005264.tif 000005
【００７１】
【表４】
2005005264.tif 000006
【００７２】
【表５】
2005005264.tif 000007
【００７３】
上記表２〜表５に示すように、本発明の構成を備えた新規形状の導光板は、余裕角が正となる入光角範囲が従来形状の導光板に比して広くなっている。つまり、新規形状の導光板では、急斜面部に入射する伝搬光の角度分布において、より広い角度範囲の伝搬光を反射することができ、これにより照明輝度が高くなる。
【００７４】
（実施例３）
本例では、図１から図３に示す新規形状の本発明の導光板と、図１２に示す従来形状の導光板を用いた液晶表示装置について、輝度とコントラストの比較を行った。
新規形状３の導光板として、図３に示す傾斜角θ１を２．８°、θ２を４５°とし、導光板の大きさを７０ｍｍＷ×５０ｍｍＬ×１．０ｍｍｔとし、材質をアクリル樹脂とし（屈折率を１．４８とした）、導光板に積層する保護層を厚さ５００Å（５０ｎｍ）のウレタンアクリレート系ハードコート剤を紫外線硬化させたものを用いた。
また従来形状３の導光板として、図１２に示す傾斜角θ１を２．８°、θ２を４５°とし、導光板の大きさを７０ｍｍＷ×５０ｍｍＬ×１．０ｍｍｔとし、材質をアクリル樹脂（屈折率１．４８）とし、更にフロントライトカバーを省略したものを用いた。
また従来形状４の導光板として、図１２に示す傾斜角θ１を２．８°、θ２を４５°とし、導光板の大きさを７０ｍｍＷ×５０ｍｍＬ×１．０ｍｍｔとし、材質をアクリル樹脂（屈折率１．４８）とし、フロントライトカバーとして厚さ１．２ｍｍのアクリル板を用いた。
【００７５】
次いで、上記条件で、液晶表示装置の輝度とコントラストを比較した。コントラストは、外光有り、フロントライト点灯させた状態で測定した。また輝度は従来形状３の輝度を１００とした値を示した。更にコントラストは液晶表示装置単独のコントラストを１００とした場合の値を示した。結果を表６に示す。
【００７６】
【表６】
2005005264.tif 000008
【００７７】
表６に示すように、新規形状３の導光板を用いた液晶表示装置は、輝度、コントラストの両方について、従来形状３、４よりも優れていることが判る。このように、新規形状３の導光板は、フロントカバーが不要となり、照明装置自体を薄型にすることができる。
【図面の簡単な説明】
【００７８】
【図１】本発明の一実施の形態である液晶表示装置を示す斜視構成図。
【図２】図１に示す液晶表示装置の断面構成図。
【図３】図２に示すフロントライトの導光状態を説明するための部分断面構成図。
【図４】図３に示す突条１４による伝搬光の反射状態を説明するための部分断面構成図。
【図５】図２に示すフロントライトの導光状態を説明するための部分断面構成図。
【図６】本発明に係るフロントライトの他の形態を示す部分断面構成図。
【図７】本発明に係るフロントライトの別の形態を示す断面構成図。
【図８】図７に示すフロントライトを備えた液晶表示装置の使用例を示す断面構成図。
【図９】本発明に係るフロントライトのその他の形態を示す断面構成図。
【図１０】図９に示すフロントライトの要部である防反射層の表面形状を模式的に示す斜視図。
【図１１】図１０に示す防反射層の凸部の配列例を示す説明図であり、図１１Ａは正方格子状に配列した例、図１１Ｂは千鳥格子状に配列した例である。
【図１２】従来の照明装置を備えた液晶表示装置の断面構造を示す図。
【図１３】図１２に示すフロントライトの導光状態を説明するための説明図。
【図１４】図１２に示すフロントライトの導光状態を説明するための説明図。
【符号の説明】
【００７９】
１０、３０…フロントライト、１２、３２…導光板、１３…バー導光体、１４、３４…突条、１４ｂ…急斜面部（斜面部）、１５、３５…保護層、３４ｂ…第１斜面部（斜面部）、３４ｃ…第２斜面部、２０…液晶パネル、４５…発光素子
【図１】
2005005264.tif 000009
【図２】
2005005264.tif 000010
【図３】
2005005264.tif 000011
【図４】
2005005264.tif 000012
【図５】
2005005264.tif 000013
【図６】
2005005264.tif 000014
【図７】
2005005264.tif 000015
【図８】
2005005264.tif 000016
【図９】
2005005264.tif 000017
【図１０】
2005005264.tif 000018
【図１１】
2005005264.tif 000019
【図１２】
2005005264.tif 000020
【図１３】
2005005264.tif 000021
【図１４】
2005005264.tif 000022